【手続補正書】
【提出日】平成19年6月14日(2007.6.14)
【手続補正１】
【補正対象書類名】特許請求の範囲
【補正対象項目名】全文
【補正方法】変更
【補正の内容】
【特許請求の範囲】
【請求項１】
振れ補正手段を用いて振動に伴う像振れを補正する光学機器であって、
前記振動の加速度を検出して生成された第１の信号と、前記振動の変位を検出して生成された第２の信号とを用いて振れ情報を生成し、該振れ情報に基づいて前記振れ補正手段を制御する制御手段を有することを特徴とする光学機器。
【請求項２】
振れ補正手段を用いて振動に伴う像振れを補正する光学機器であって、
前記振動により発生する慣性力を利用して生成された第１の信号と、前記振動による光束の変位を検出して生成された第２の信号とを用いて振れ情報を生成し、該振れ情報に基づいて前記振れ補正手段を制御する制御手段を有することを特徴とする光学機器。
【請求項３】
前記制御手段は、前記第１の信号が示す振れ加速度を、前記第２の信号を用いて補正し、該補正した振れ加速度に基づいて前記振れ情報を生成することを特徴とする請求項１又は２に記載の光学機器。
【請求項４】
前記制御手段は、前記第１の信号が示す第１の振れ加速度と前記第２の信号に基づいて算出した第２の振れ加速度との差分値に基づいて、前記第１の振れ加速度から重力加速度成分を除去するための補正値を求め、該補正値を用いて前記第１の振れ加速度を補正することを特徴とする請求項３に記載の光学機器。
【請求項５】
前記制御手段は、撮影の開始前に求めた前記補正値を用いて、該撮影中における前記第１の振れ加速度の補正を行うことを特徴とする請求項４に記載の光学機器。
【請求項６】
前記制御手段は、前記第１の信号が示す振れ加速度に基づいて振れ速度および振れ変位を求め、かつ前記第２の信号に基づいて、前記振れ速度および振れ変位を求める際に用いられる振れ初速度を設定することを特徴とする請求項１又は２に記載の光学機器。
【請求項７】
前記第２の信号は、像面に平行な方向への振動に応じた信号であることを特徴とする請求項１から６のいずれか１つに記載の光学機器。
【請求項８】
前記第２の信号は、撮影光軸に平行な方向への振動に応じた信号であることを特徴とする請求項１から６のいずれか１つに記載の光学機器。
【請求項９】
前記制御手段は、撮影倍率を検出し、該撮影倍率が所定値よりも大きいときに、前記第１および第２の信号を用いて前記振れ情報を生成することを特徴とする請求項１から８のいずれか１つに記載の光学機器。
【請求項１０】
前記振れ補正手段を有することを特徴とする請求項１から９のいずれか１つに記載の光学機器。
【請求項１１】
前記第２の信号は、像面に平行な方向への振動に応じた信号であり、
前記振れ補正手段は、撮影光軸の方向とは異なる方向に移動可能な光学素子であることを特徴とする請求項１０に記載の光学機器。
【請求項１２】
前記第２の信号は、撮影光軸に平行な方向への振動に応じた信号であり、
前記振れ補正手段は、前記撮影光軸の方向に移動可能な光学素子であることを特徴とする請求項１０に記載の光学機器。
【請求項１３】
前記第１の信号を出力する第１の検出手段を有することを特徴とする請求項１から１２のいずれか１つに記載の光学機器。
【請求項１４】
前記第１の検出手段は、該光学機器が有する光学系の光軸に直交し、かつ該光学系の主点を含む平面上に配置されていることを特徴とする請求項１３に記載の光学機器。
【請求項１５】
前記第２の信号を出力する第２の検出手段を有することを特徴とする請求項１から１４のいずれか１つに記載の光学機器。
【請求項１６】
前記第２の検出手段は、該光学機器が有する光学系の焦点状態を検出する焦点検出手段であることを特徴とする請求項１５に記載の光学機器。
【請求項１７】
撮影装置と、
該撮影装置に対して装着可能な請求項１から１６のいずれか１つに記載の光学機器とを有することを特徴とする撮影システム。
【手続補正２】
【補正対象書類名】明細書
【補正対象項目名】００２３
【補正方法】変更
【補正の内容】
【００２３】
６はＣＣＤセンサ又はＣＭＯＳセンサにより構成される撮像素子であり、この撮像素子６の受光面（撮像面）上には交換レンズ２からの光束が結像する。撮像素子６は、結像した被写体像を光電変換し、撮像信号を出力する。カメラ１は電子制御式のフォーカルプレーンシャッタを有しており、フォーカルプレーンシャッタは撮像素子６の露光量を制御する。
【手続補正３】
【補正対象書類名】明細書
【補正対象項目名】００３１
【補正方法】変更
【補正の内容】
【００３１】
また、ＩＳアクチュエータ１９の駆動の制御は、後述するレンズＣＰＵにより行われる。さらに、第４レンズユニット１４は、光軸上の一点を中心にして回動し、実質的に光軸直交方向に移動するものであってもよいし、いわゆる可変頂角プリズムであってもよい。図２は、図１に示したレンズ交換式デジタル一眼レフカメラシステムの電気回路構成を示すブロック図である。
【手続補正４】
【補正対象書類名】明細書
【補正対象項目名】００３６
【補正方法】変更
【補正の内容】
【００３６】
１０４は外部から操作可能な２段ストローク式のレリーズスイッチであり、第１ストロークスイッチ（ＳＷ１）と第２ストロークスイッチ（ＳＷ２）を有する。該レリーズスイッチ１０４からの信号は、カメラＣＰＵ１０１に入力される。カメラＣＰＵ１０１は、第１ストロークスイッチ（ＳＷ１）からのＯＮ信号の入力に応じて、撮影準備状態に入り、測光部１０５による被写体輝度の測定および焦点検出部１０６による位相差検出方式での焦点検出を開始させる。カメラＣＰＵ１０１は、測光結果に基づいて絞りユニット１５の絞り値や撮像素子６の露光量（シャッタ秒時）等を演算する。また、カメラＣＰＵ１０１は、焦点状態の検出結果である焦点検出情報（デフォーカス量およびデフォーカス方向）に基づいて、撮影対象となる被写体に対して焦点を合わせるために必要な第２レンズユニット１２の駆動量および駆動方向を決定する。該駆動量および駆動方向の情報は、レンズＣＰＵ２０１に送信される。レンズＣＰＵ２０１は、レンズ２内の各構成部の動作を制御する。
【手続補正５】
【補正対象書類名】明細書
【補正対象項目名】００３８
【補正方法】変更
【補正の内容】
【００３８】
第２ストロークスイッチ（ＳＷ２）からのＯＮ信号が入力されると、カメラＣＰＵ１０１は、レンズＣＰＵ２０１に対して絞り駆動命令を送信し、絞りユニット１５を先に演算
した絞り値に設定させる。また、カメラＣＰＵ１０１は、露光部１０９に露光開始命令を送信し、ミラー３，４の退避（アップ）動作およびフォーカルプレーンシャッタの開放動作を行わせ、撮像素子６を含む撮像部１１０にて、被写体像の光電変換、すなわち撮影を行わせる。
【手続補正６】
【補正対象書類名】明細書
【補正対象項目名】００６８
【補正方法】変更
【補正の内容】
【００６８】
ステップ１０１２では、レンズＣＰＵ２０１（ピント振れ補正量演算部２１０）は、ピント振れ変位量に基づいて第２レンズユニット１２のピント振れ補正駆動量を演算し、該演算結果に応じてＡＦモータ１６を介して第２レンズユニット１２を駆動し、ピント振れ補正を開始する。
【手続補正７】
【補正対象書類名】明細書
【補正対象項目名】００７８
【補正方法】変更
【補正の内容】
【００７８】
さらに、本実施例は、レンズ交換式デジタル一眼レフカメラについて説明したが、本発明は、レンズ一体型のデジタルカメラ、さらにはビデオカメラにも適用することができる。
【手続補正８】
【補正対象書類名】図面
【補正対象項目名】図１
【補正方法】変更
【補正の内容】
【図１】
2006003439.tif 000001